(57)【要約】      （修正有）【課題】大型の物品と小型の物品とをナースカートの左右に分けて収納するナースカートを提供する。【解決手段】移動可能な脚ベース１と、この脚ベース１の左右方向中央に対して右に偏心した位置に立設されその左右にオプションを片持状態で取り付けるためのオプション取付部を有した支柱３と、支柱３に全荷重を支持させ得る状態で支柱３上に配された天板７とを具備する。【選択図】図１
2014018384.tif 000002
【特許請求の範囲】
【請求項１】
移動可能な脚ベースと、この脚ベースの左右方向中央に対して右又は左に偏心した位置に立設されその左右にオプションを片持状態で取り付けるためのオプション取付部を有した支柱と、前記支柱に全荷重を支持させ得る状態で当該支柱上に配された天板とを具備してなることを特徴とするナースカート。
【請求項２】
前記支柱が、左側面及び右側面にオプションを高さ位置変更可能に取り付けることができるオプション取付部をそれぞれ備えたものである請求項１記載のナースカート。
【請求項３】
前記支柱が、左側面及び右側面に上下方向に伸びる目地をそれぞれ備えたものであり、前記オプション取付部が、前記各目地の底に配された目地底材に複数のフック孔を上下方向に所定のピッチで形成したものである請求項２記載のナースカート。
【請求項４】
前記オプション取付部が、平均的な使用者の想定膝高さより上の清潔領域から前記想定膝高さより下の不潔領域に亘って設けられたものである請求項１、２又は３記載のナースカート。
【請求項５】
前記支柱が、前記脚ベースの前後方向中央に対しても前記天板の使用端側に偏心させたものである請求項１、２、３又は４記載のナースカート。
【発明の詳細な説明】
【技術分野】
【０００１】
本発明は、病院や診療所等において好適に使用されるナースカートに関する。
【背景技術】
【０００２】
従来より、病院や診療所等において、電子カルテ用ノートＰＣやレントゲンフィルムその他の資料、薬剤、器具類の収納及び運搬の用に供され、移動可能な脚ベースと、この脚ベースに立設されオプション取付部を有する支柱と、前記支柱上に配された天板とを備えたナースカートが広く用いられている（例えば、特許文献１を参照）。従来広く用いられているナースカートは、例えば、脚ベースの左右方向中央から立設した支柱にオプションであるトレーユニット等の収納具の前部を支持させる態様や、脚ベースの左右両側からそれぞれ立設した支柱にレールを介して前記トレーユニット等の収納具の左右両側を支持させる態様を採用しており、全体としても略左右対称の形状を備えている。
【０００３】
ところで、病院や診療所等の現場においては、大型の物品と小型の物品とを分けて収納する要望が存在する。このような要望に対応するには、大型の物品と小型の物品とをそれぞれナースカートの左右に分けて収納する態様が考えられる。しかし、従来のナースカートの構成では、略左右対称の形状を有することから、上述したような大型の物品と小型の物品とをそれぞれナースカートの左右に分けて収納する態様を採用することが困難であるという問題があった。
【先行技術文献】
【特許文献】
【０００４】
【特許文献１】特開２００９−２７９４１４号公報
【発明の概要】
【発明が解決しようとする課題】
【０００５】
本発明は以上の点に着目し、大型の物品と小型の物品とをナースカートの左右に分けて収納する要望に対応することを目的とする。
【課題を解決するための手段】
【０００６】
このような課題を解決すべく、本発明に係るナースカートは以下のような構成を有する。すなわち本発明に係るナースカートは、移動可能な脚ベースと、この脚ベースの左右方向中央に対して右又は左に偏心した位置に立設されその左右にオプションを片持状態で取り付けるためのオプション取付部を有した支柱と、前記支柱に全荷重を支持させ得る状態で当該支柱上に配された天板とを具備してなる。
【０００７】
このような構成によれば、脚ベースの左右方向中央に対して右（又は左）に偏心した位置に立設された支柱を挟んで、前記支柱が偏心している側と逆側に配したオプション取付部を介して幅広のオプションを片持状態で取り付けるとともに、前記支柱が偏心している側に配したオプション取付部を介して幅狭のオプションを片持状態で取り付ける態様を採用することができる。
【０００８】
このようなナースカートの使用態様の多様化を図るためには、前記支柱が、左側面及び右側面にオプションを高さ位置変更可能に取り付けることができるオプション取付部をそれぞれ備えたものが望ましい。
【０００９】
前記支柱が、左側面及び右側面に上下方向に伸びる目地をそれぞれ備えたナースカートにおいて、外観を損ねることなく上述したようなオプションを高さ位置変更可能に取り付けるようにするためのオプション取付部の態様の一例として、前記各目地の底に配された目地底材に複数のフック孔を上下方向に所定のピッチで形成したものが挙げられる。
【００１０】
使用済みのガーゼ等の患者の血液や体液等が付着したものを他のものと区別して収納しておくようにするためには、オプション取付部が、平均的な使用者の想定膝高さより上の清潔領域から前記想定膝高さより下の不潔領域に亘って設けられたものが望ましい。
【００１１】
このようなナースカートをピットにより深く差し入れることができるようにするには、前記支柱を、前記脚ベースの前後方向中央に対しても前記天板の使用端側に偏心させるとよい。
【発明の効果】
【００１２】
本発明によれば、大型の物品と小型の物品とをナースカートの左右に分けて収納する要望に対応することができる。
【図面の簡単な説明】
【００１３】
【図１】本発明の一実施形態に係るナースカートを示す全体斜視図。
【図２】同実施形態に係るナースカートを示す平面図。
【図３】同実施形態に係るナースカートを示す正面図。
【図４】同実施形態に係るナースカートを示す側面図。
【図５】図４におけるＡ−Ａ断面図。
【図６】同実施形態に係る脚ベースを示す分解斜視図。
【図７】図４におけるＢ−Ｂ断面図。
【図８】図４における矢印Ｃ方向視拡大図。
【図９】図４におけるＤ−Ｄ断面図。
【図１０】図４におけるＥ−Ｅ断面図。
【図１１】図４におけるＦ−Ｆ断面図。
【図１２】同実施形態に係るナースカートを示す分解斜視図。
【図１３】同実施形態に係るナースカートを示す底面側分解斜視図。
【図１４】同実施形態に係るナースカートをピットに接近させる態様を示す概略図。
【図１５】本発明の他の実施形態に係るナースカートを示す概略図。
【図１６】本発明の他の実施形態に係るナースカートを示す概略図。
【発明を実施するための形態】
【００１４】
以下、本発明の一実施形態を、図面を参照して説明する。
【００１５】
このナースカートＮは、移動可能な脚ベース１と、この脚ベース１上に立設された支柱３と、この支柱３の上端３ａに剛結された支持構造体５と、この支持構造体５の上に配設された天板７と、この天板７の周縁７ａに離間状態で沿い設けられた略環状をなすハンドル９とを具備してなる。そして、前記支柱３の左側面３ｂに幅広のオプションを、右側面３ｃに幅狭のオプションをそれぞれ片持状態で支持させている。また、前記支柱３と前記支持構造体５に関連させて旋回抑止部材１１を設けている。なお、図１はこのナースカートＮを示す斜視図、図２は同平面図、図３は同正面図、図４は同右側面図である。この明細書において「前」とは、天板７の使用端７ｂ側を意味し、「後」とは、天板７の反使用端７ｃ側を意味する。「左」「右」とは、前記正面図における左右をそれぞれ意味するものとする。
【００１６】
次いで、各部の構成を具体的に説明する。
【００１７】
＜脚ベース１＞
前記脚ベース１は、図５〜図７に示すように、横断面形状が各部において同じである素材を所定長さに切断して作られる中間部材２１と、この中間部材２１の両端に結合された型成形品である左右の脚羽根２３とを備えたものである。
【００１８】
前記中間部材２１は、スチール製の角型パイプ素材を所定の長さに切断してなる部材本体２５と、この部材本体２５の内部における開口端近傍部分に配設された左右の内壁２７、２９とを備えてなるものである。左の内壁２７は、短冊状をなす板金製のもので、外面２７ａが下側が左側方を向くように傾斜させた状態で部材本体２５内に溶接等により剛結されている。右の内壁２９は、短冊状をなす板金製のもので、外面２９ａが下側が右側方を向くように傾斜させた状態で部材本体２５内に溶接等により剛結されている。右の内壁２９の上縁には部材本体２５の天井面２５ａに添接する補強壁３１が一体に連続させてある。前記右の内壁２９と前記補強壁３１とは、板金素材を屈曲成形することにより一体に作られている。前記左右の内壁２７、２９には、それぞれ対をなす中間部材側ボルト挿通孔２７ｂ、２９ｂが設けられており、前記各内壁２７、２９の内面には、それら中間部材側ボルト挿通孔２７ｂ、２９ｂに軸心を一致させてナット部材２７ｃ、２９ｃがそれぞれ溶接等により固設されている。前記各ナット部材２７ｃ、２９ｃの軸心ｓ１、ｓ２は、前記各内壁２７、２９に直交するように設定されている。換言すれば、前記各軸心ｓ１、ｓ２は、外側方に向かって漸次低くなるように傾斜させてある。なお、この中間部材２１の左右方向中央、換言すれば脚ベース１の左右方向中央１ａよりも一方方向、より具体的には右方向に偏位した部位には、前記支柱３を取り付けるための支柱取付部３３が設けられている。前記支柱取付部３３は、図５〜図７に示すように、前記部材本体２５の天壁２５ｂと前記補強壁３１とが重なった部位に設けられたもので、前記天壁２５ｂ及び前記補強壁３１を貫通するように穿たれた前後対をなすボルト挿通孔３３ａと、これらボルト挿通孔３３ａの中間に穿たれたシリンダ挿通孔３３ｂと、このシリンダ挿通孔３３ｂに軸心を一致させて前記部材本体２５の底壁２５ｃに穿たれたシリンダ固定孔３３ｃと、このシリンダ固定孔３３ｃが形成された前記底壁２５ｃにおける前記両ボルト挿通孔３３ａにそれぞれ対応する部位に穿たれた工具挿通孔３３ｄとを備えたものである。
【００１９】
一方、前記脚羽根２３は、図６、図7及び図１３に示すように、アルミダイキャスト製のもので、下方に開放された中空体状をなしている。具体的には、各脚羽根２３は、上壁２３ａと、内外の側壁２３ｂ、２３ｃと、前後の端壁２３ｄとを一体に備えてなるもので、その内部には補強用のリブ２３ｅが一体に設けられている。右の脚羽根２３と左の脚羽根２３とは、左右対称形状をなしており、各脚羽根２３の前後方向両端部２３ｆ、２３ｇには、それぞれ３６０度全方向に首振り可能なキャスタ３５が取り付けられている。各脚羽根２３の内側壁２３ｂにおける前後方向中間位置、より具体的には、前記脚ベース１の前後方向中央１ｂよりも天板７の使用端７ｂ側に偏位した中間位置には、前記中間部材２１と連結するための連接部３７がそれぞれ設けられている。前記連接部３７は、前記内側壁２３ｂに一体に形成され前記中間部材２１の端面２１ａが密着する環状当接部分３７ａと、この環状当接部分３７ａの内側に設けられ前記中間部材２１の端部内に嵌入される角柱状をなす隆起部分３７ｂとを備えたものであり、前記隆起部分３７ｂの先端面３７ｃは前記中間部材２１の内壁２７、２９と平行をなすように傾斜させてある。そして、前記隆起部分３７ｂにおける前記左右の内壁２７、２９の中間部材側ボルト挿通孔２７ｂ、２９ｂに対応する部分には、脚羽根側ボルト挿通孔３７ｄがその軸心を前記ナット部材２７ｃ、２９ｃの軸心ｓ１、ｓ２に一致させて設けられている。脚羽根側ボルト挿通孔３７ｄは、前記内側壁２３ｂをも貫通するように穿たれており、図７に示すように、斜め下側から前記脚羽根側ボルト挿通孔３７ｄに挿入したボルト３９を前記中間部材側ボルト挿通孔２７ｂ、２９ｂを通して前記ナット部材２７ｃ、２９ｃに螺合させ締めつけることによって、前記各脚羽根２３を前記中間部材２１の端にそれぞれ連結し固定するようになっている。
【００２０】
＜支柱３＞
前記支柱３は、脚ベース１の左右方向中央１ａに対して右又は左に偏心した位置に立設されその左右にオプションを片持状態で取り付けるためのオプション取付部３ｄを有している。そして、この支柱３に全荷重を支持させ得る状態で当該支柱３上に前記天板７が配されている。換言すれば、前記天板７を１本の支柱３のみによって支持するようにしている。なお、この実施形態においては、前記支柱３は、脚ベース１の左右方向中央１ａに対して右に偏心した位置に立設されており、後述するように、この支柱３の左側に幅広なオプションを配するとともに、右側に幅狭なオプションを配するようにしている。また、この支柱３は、前記脚ベース１の前後方向中央１ｂに対しても前記天板７の使用端７ｂ側に偏心させて配されている。
【００２１】
詳述すれば、この支柱３は、テレスコープ式に伸縮し得る構造のもので、図５、図８及び図９に示すように、前記脚ベース１に固定された静止要素４１と、この静止要素４１に昇降可能に保持され前記支持構造体５を介して前記天板７を支持する昇降要素４３と、この昇降要素４３の昇降を所望位置においてロックする機能を有したガススプリング４５とを備えてなる。
【００２２】
前記静止要素４１は、図９に示すように、前記昇降要素４３を昇降可能に包持するコア部材４７と、このコア部材４７の前後両側に装着された化粧部材４９と、これら化粧部材４９及び前記コア部材４７間に形成される目地３ｅの底を形成する目地底材５１とを具備してなる。コア部材４７は、アルミ押出成形素材を所定の長さに切断したものであり、内側壁４７ａ、外側壁４７ｂ、前壁４７ｃ及び後壁４７ｄを備えてなる概略角柱パイプ状のものである。そして、このコア部材４７は、前記前壁４７ｃ及び後壁４７ｄの中央にそれぞれ一体に形成された略円形パイプ状をなす長尺ボス４７ｅと、これら各長尺ボス４７ｅの左右両側から側方に伸びる延出片４７ｆとを備えており、前記長尺ボス４７ｅの下端部４７ｇは、その内周に雌ネジ溝が刻設されナットとしての機能を有している。また、前記内側壁４７ａ及び外側壁４７ｂの前後両端部には、例えばＶ字形に凹陥したレール面４７ｈが形成されており、これらのレール面４７ｈで後述する昇降要素４３のベアリング５３を案内するようになっている。前記化粧部材４９は、図９に示すように、前記コア部材４７との間に目地３ｅを形成する内壁４９ａと、この内壁４９ａの両端間に設けられ外方に部分円弧状をなして膨出する湾曲した外壁４９ｂと、前記内壁４９ａの内面に取付隙間４９ｃを介して配置された補助壁４９ｄとを一体に備えてなるもので、例えば、アルミ押出成形素材を所定の長さに切断することにより作られている。そして、前記補助壁４９ｄと前記内壁４９ａとの間に形成される前記取付隙間４９ｃに前記コア部材４７の延出片４７ｆを上下方向からスライド係合させることによって、前後の化粧部材４９が前記コア部材４７にそれぞれ取り付けられている。これら化粧部材４９と前記コア部材４７との間に配される前記目地底材５１は、目地３ｅの底を形成する底板５１ａと、この底板５１ａの両端縁から内方に延出する側板５１ｂとを備えたもので、横断面コ字状をなす押出成形素材を所定の長さに切断することにより作られている。
【００２３】
このようにしてなる支柱３の静止要素４１は、その左側面３ｂ及び右側面３ｃに前記各オプションを高さ位置変更可能に取り付けることができるオプション取付部３ｄをそれぞれ備えている。具体的には、各オプション取付部３ｄは、前記各目地底材５１に複数のフック孔５１ｃを上下方向に所定のピッチで形成したものであり、前記フック孔５１ｃは、前記目地部材５１の上下方向全長に亘って形成されている。すなわち、前記各オプション取付部３ｄは、平均的な使用者の想定膝高さｔより上の清潔領域ｑから前記想定膝高さｔより下の不潔領域ｒに亘って設けられている。かかる静止要素４１に前記昇降要素４３が昇降可能に支持されている。
【００２４】
前記昇降要素４３は、図５、図８及び図９に示すように、金属製のパイプ部材５５と、このパイプ部材５５を前記静止要素４１に対して昇降可能に支持させる複数のベアリング５３とを具備してなる。前記パイプ部材５５は、内側壁５５ａ、外側壁５５ｂ、前壁５５ｃ及び後壁５５ｄを有するもので、スチール等の角柱パイプ素材を所定の長さに切断することにより作られている。前記パイプ部材５５の上端近傍部には、固定壁５７が溶接等により略水平姿勢で固設されている。この固定壁５７の中心には、前記ガススプリング４５を接続するための接続孔５７ａが設けられている。この固定壁５７の一端側は、前記外側壁５５ｂの上端部に形成されたレバー挿通用の窓５５ｅを通して外部に延出させてあり、この固定壁５７の延出部分の両縁に軸受板５９が一体に形成されている。これら軸受板５９には、ロック解除レバー６１が水平軸６３を介して回動可能に軸着されている。ロック解除レバー６１は、前記ガススプリング４５のロックを解除するためのもので、その内方端６１ａを前記接続孔５７ａの上方に臨ませてある。このパイプ部材５５は、上端側を外部に露出させた状態で、図９に示すように、前記静止要素４１におけるコア部材４７の内側に収容されており、前記ガススプリング４５のストローク範囲内で昇降し得るようになっている。そして、このパイプ部材５５の下半部分における上下二箇所に、それぞれ４個のベアリング５３が配されている。各ベアリング５３は、前記パイプ部材５５に取り付けられる軸５３ａと、この軸５３ａの軸心５３ｂ周りに自転するアウターリング５３ｃとを少なくとも備えてなるものである。上下各箇所において、前記パイプ部材５５の前壁５５ｃ及び後壁５５ｄにそれぞれ２個のベアリング５３が取り付けられており、それら各ベアリング５３のアウターリング５３ｃを前記コア部材４７のレール面４７ｈにそれぞれ転接させることにより、前記パイプ部材５５が、前記コア部材４７の内部において一定の姿勢を保ちつつ昇降し得るようになっている。なお、この実施形態においては、前記コア部材４７の前壁４７ｃ及び後壁４７ｄにおける前記各ベアリング５３の軸心５３ｂに対応する部位に係止突条４７ｉをそれぞれ設けている。これらの係止突条４７ｉは、不測の外力等に起因した前記昇降要素４３の前記静止要素４１に対する姿勢の乱れを抑止するためのものであり、常時は、各係止突条４７ｉと各ベアリング５３とは微小なクリアランスを介して離間させてある。すなわち、前記昇降要素４３が前記静止要素４１に対して前後方向や回転方向に不当に偏位した場合にだけ、いずれかの係止突条４７ｉが対面するベアリング５３の軸心５３ｂに対応する部位に当接して、前記昇降要素４３のそれ以上の偏位を防止するようになっている。
【００２５】
前記ガススプリング４５は、図５、図８及び図９に示すように、下端中心部に取付突起６５ａを有したシリンダ６５と、このシリンダ６５内の図示しないピストンに接続されその上端側を該シリンダ６５の上端から突没可能に突出させたロッド６７とを具備してなるもので、常時は前記ロッド６７が前記シリンダ６５に対してロックされている。そして、前記ロッド６７の先端に設けた操作端６９を押し下げた場合にだけ、前記ロッド６７を封入ガスの弾性反発力により上動させたり前記ガスの弾性反発力に抗する操作力により降下させたりすることができるようになっている。このガススプリング４５のロッド６７の先端部６７ａは、前記昇降要素４３のパイプ部材５５の固定壁５７に固定されている。すなわち、前記ロッド６７の先端部６７ａは固定壁５７の接続孔５７ａに貫通させた状態で当該固定壁５７に固定されており、そのロッド６７の先端に設けられた操作端６９を、前記ロック解除レバー６１の内方端６１ａの下側に臨ませてある。そのため、前記ロック解除レバー６１の外方端６１ｂ側を上方に操作することによって、そのロック解除レバー６１の内方端６１ａが前記操作端６９を押し下げてこのガススプリング４５のロック状態を解除することができるようになっている。
【００２６】
以上のようにしてなる支柱３の前記脚ベース１に対する取り付けは、次のようになっている。前記ガススプリング４５の下端部を脚ベース１の中間部材２１の天壁２５ｂに設けられたシリンダ挿通孔３３ｂに挿入するとともに、その下端部に突設された取付突起６５ａを前記中間部材２１の底壁２５ｃに設けられたシリンダ固定孔３３ｃに貫通させ、その取付突起６５ａの貫通端側にＥリング等の止着具７１を装着している。また、前記中間部材２１の上面に当接させた静止要素４１を、支柱固定ボルト７３により該中間部材２１に固定している。すなわち、前記支柱固定ボルト７３は、前記中間部材２１の底壁２５ｃに設けられた工具挿通孔３３ｄを通して該中間部材２１内に挿入され、前記中間部材２１の天壁２５ｂに設けられたボルト挿通孔３３ａを通して前記静止要素４１のコア部材４７における長尺ボス４７ｅの下端部４７ｇに螺合させ定着してある。
【００２７】
＜支持構造体５＞
前記支持構造体５は、図３乃至図５及び図１０乃至図１２に示すように、前記支柱３の上端３ａに剛結された金属製のもので、中空体状をなしている。詳述すれば、前記支持構造体５は、前記支柱３における昇降要素４３のパイプ部材５５に溶接等により剛結された横架材７５と、この横架材７５の両端に溶接等により剛結され上縁に取付フランジ７７ａを有する左右の側壁７７と、これら両側壁７７の下縁間に設けられた底壁７９と、この底壁７９の反使用端側の縁部から上方に向けて延設された上端に取付フランジ８１ａを有する端壁８１とを具備してなる。前記横架材７５は、スチール製の角柱パイプ素材を所定長さに切断することにより作られたもので、前記パイプ部材５５の上端及び前記軸受板５９の上端にそれぞれ溶接等により剛結されている。前記左右の側壁７７と、前記底壁７９とは、スチール製の板金素材を折曲成形することにより一体に構成されたものであり、左右の側壁７７間に使用端７ｂ側に開放されたバッテリ収容空間５ａが形成されている。側壁７７の上縁に形成された取付フランジ７７ａは、前記横架材７５の上面に被せた状態で溶接等により該横架材７５に剛結されており、その前後両端部に天板取付用のボルト挿通孔７７ｂを備えている。前記端壁８１は、前記底壁７９の縁に溶接等により剛結されたもので、その上端に設けた取付フランジ８１ａは、天板取付用のボルト挿通孔８１ｂを備えている。
【００２８】
＜天板７＞
前記天板７は、図１乃至図５及び図１０乃至図１３に示すように、パーソナルコンピュータやカルテ等を載置するための平面視略長方形状のもので、前記脚ベース１の上方に配されている。この天板７は、例えば、木製の芯材８３と、この芯材８３の上面に添設されたメラミン樹脂板等の化粧板８５と、この化粧板８５及び前記芯材８３の周縁を包囲するエッジ部材８７とを具備してなる。前記芯材８３の下面側における前記支持構造体５のボルト挿通孔７７ｂ、８１ｂに対応する部位には、インサートナット８９が埋設されている。
【００２９】
この天板７は、前記支持構造体５の取付フランジ７７ａ、８１ａ上に配置され、前記ボルト挿通孔７７ｂ、８１ｂを通して前記インサートナット８９に螺着されるボルト９１により該支持構造体５上に固定されている。
【００３０】
＜ハンドル９＞
前記ハンドル９は、図１乃至図５及び図１０乃至図１３に示すように、前記天板７の周縁７ａに離間状態で沿い設けられたもので、前記支持構造体５に支持されている。このハンドル９は、前記天板７の上面７ｄよりも下に配される低位部９ａ及び前記天板７の上面７ｄよりも上に配される高位部９ｂを有した略環状をなすもので、３６０度いずれの方向からでも把持することができるようになっている。
【００３１】
詳述すれば、前記ハンドル９は、前記天板７よりも一回り大きな枠形状をなすパイプ部材９３と、このパイプ部材９３の使用端７ｂ側及び反使用端７ｃ側にそれぞれ装着されたカバー体９５、９７とを具備してなる。パイプ部材９３は、天板７の使用端７ｂに沿う使用端側水平部分９３ａと、この使用端側水平部分９３ａの両端から天板７の側縁に沿って後方に延びる低位側側端水平部分９３ｂと、天板７の反使用端７ｃに沿う反使用端側水平部分９３ｃと、この反使用端側水平部分９３ｃの両端から天板７の側縁に沿って前方に延びる高位側側端水平部分９３ｄと、これら高位側側端水平部分９３ｄの前端を低位側側端水平部分９３ｂの後端に接続する傾斜部分９３ｅとを備えてなるもので、１本の金属パイプ素材を曲げ加工することにより一体に構成されている。前記一方のカバー体９５は、前記使用端側水平部分９３ａ及び前記低位側側端水平部分９３ｂの一部を覆うもので、上下に２分割し得る構成をなしており、合成樹脂等により作られている。前記他方のカバー体９７は、前記反使用端側水平部分９３ｃ及び高位側側端水平部分９３ｄの一部を覆うもので、上下に２分割し得る構成をなしており、合成樹脂等により作られている。前記パイプ部材９３の図示しない継ぎ目は、例えば、前記反使用端側のカバー体９７により隠されている。
【００３２】
しかして、前記低位部９ａは、前記カバー体９５が装着された前記使用端側水平部分９３ａと、前記低位側側端水平部分９３ｂと、前記傾斜部分９３ｅの前記天板７の上面７ｄより低い部位とによって構成されている。また、前記高位部９ｂは、前記カバー体９７が装着されたパイプ部材９３の反使用端側水平部分９３ｃと、前記高位側側端水平部分９３ｄと、前記傾斜部分９３ｅにおける前記天板７の上面７ｄより高い部位とによって構成されている。なお、前記ハンドル９の高位部９ｂは、天板７の上に載置されたパーソナルコンピュータ等の物品により当該高位部９ｂに対する把持動作が妨げられるのを防止するためのガード部材９９を備えている。具体的には、前記ガード部材９９は、前記反使用端側水平部分９３ｃとの間に一定幅の手掛空間９ｃを形成した状態で前記高位側側端水平部分９３ｄ間に架設されている。前記ガード部材９９は、直線をなす線材により作られている。
【００３３】
このハンドル９は、その内側にコードを掛けるための複数のコード掛け１０１を備えている。コード掛け１０１は、天板７上に載置されたパーソナルコンピュータ等の機器から伸びる各種のコードを着脱可能に掛け止めし得るように構成されたもので、例えば、前記低位部９ａにおける左右の内側、及び前記高位部９ｂにおける左右の内側にそれぞれ設けられている。
【００３４】
このハンドル９は、複数のアーム１０３、１０５を介して前記支持構造体５の側壁７７に取り付けられている。具体的に説明すれば、前記ハンドル９は、図１０及び図１１に示すように、前記低位部９ａから上方に延出させた第１のアーム１０３と、前記高位部９ｂから下方に延出させた第２のアーム１０５とを介して前記支持構造体５の側壁７７に取り付けられている。第１のアーム１０３は、基端を前記パイプ部材９３の低位側側端水平部分９３ｂに溶接等により止着され内方に伸びる水平部１０３ａと、この水平部１０３ａの先端に連続して設けられ上方に起立する起立部１０３ｂとを備えたもので、前記起立部１０３ａの上端近傍には雌ねじ孔１０３ｃが形成されている。前記起立部１０３ａは、前記支持構造体５の側壁７７の内面に添接するように構成されており、前記側壁７７の前ボルト挿通孔７７ｃに挿入したボルト１０７を前記雌ねじ孔１０３ｃに螺着することによって、前記各第１のアーム１０３が支持構造体５の左右の側壁７７にそれぞれ取り付けられるようになっている。前記第２のアーム１０５は、基端を前記パイプ部材９３の高位側側端水平部分９３ｄに溶接等により止着され下方に垂下する垂下部１０５ａと、この垂下部１０５ａの下端に連続して設けられ内方に伸びる水平部１０５ｂと、この水平部１０５ｂの先端に止着された起立板部１０５ｃとを備えたもので、前記起立板部１０５ｃには雌ねじ孔１０５ｄが形成されている。前記起立板部１０５ｃは、前記支持構造体５の側壁７７の内面に添接するように構成されており、前記側壁７７に設けた後ボルト挿通孔７７ｄに挿入したボルト１０９を前記雌ねじ孔１０５ｄに螺着することによって、前記各第２のアーム１０５が支持構造体５の左右の側壁７７にそれぞれ取り付けられるようになっている。なお、前記両側壁７７の反使用端７ｃ側の縁には、後方に向けて開放された切欠き７７ｅがそれぞれ形成されており、前記第２のアーム１０５の水平部１０５ｂは、この切欠き７７ｅに遊嵌させてある。
【００３５】
またこのハンドル９は、それぞれのカバー体９５、９７における幅方向中央部分において樹脂素材が薄肉とした溝９５ａ、９７ａがカバー体を９５、９７を周回するように形成されている。この溝９５ａ、９７ａは、例えば脚ベース１の中間部材２１を、図示のものとは異なる幅寸法を有するものに仕様変更した場合に起こるハンドル９の仕様変更に対応させるために設けたものである。すなわち中間部材２１を図示のものよりも幅狭のものに仕様変更する場合には溝９５ａ、９７ａの位置で樹脂素材を破断し、それぞれのカバー体９５、９７の幅寸法を短くし、幅狭のハンドル９を構成することができる。さらに中間部材２１を図示のものよりも幅広なものに仕様変更する場合には溝９５ａ、９７ａの位置で樹脂素材を破断するとともに当該破断箇所に図示しない別部材を介在させて、幅広のハンドル９を構成することができる。また溝９５ａ、９７ａの存在により、上記の仕様変更によってもハンドル９の見た目が大きく異なることを回避することができる。
【００３６】
＜旋回抑止部材１１＞
このナースカートＮは、図３、図５、図１２、図１３及び図１４に示すように、前記天板７の反使用端７ｃ側下方に潜り込ませたピットＰの縁Ｐａに前記支柱３が衝突した際にその縁Ｐａに同時に当接して当該天板７が前記脚ベース１とともに旋回するのを止める旋回抑止部材１１を備えている。
【００３７】
前記旋回抑止部材１１は、基端を前記支柱３の昇降要素４３の左側面３ｂに溶接等により剛結した水平桿１１１と、この水平桿１１１の先端に連続して設けられ上方に起立する起立桿１１３とを備えたもので、前記起立桿１１３の先端部は、前記支持構造体５の横架材７５及び側壁７７に溶接等により剛結されている。この旋回抑止部材１１は、１本のスチール線材を変形させて作られたもので、その起立桿１１３は、前記昇降要素４３のパイプ部材５５が直線的なピットＰの縁Ｐａに直交方向から衝突した際に略同時にその縁Ｐａに当接し得る位置に設けられている。
【００３８】
＜オプション＞
この実施形態においては、図１、図３、図４、図１２及び図１３に示すように、前記支柱３の左側に形成される幅の広い天板下空間に幅広のオプションである２組のトレーユニット１３を配するとともに、前記支柱３の右側に形成される幅の狭い天板下空間に幅狭のオプションであるグローブボックス１５と、２種類のごみ受け具１７、１９を配している。
【００３９】
前記トレーユニット１３は、矩形状の枠体１３ａと、この枠体１３ａに着脱可能に保持されるトレー１３ｂとを具備してなるもので、枠体１３ａは、爪付ブラケット１３ｃを介して前記支柱３の左側面３ｂに設けられたオプション取付部３ｄに高さ位置変更可能に取り付けられる。爪付ブラケット１３ｃは、前記枠体１３ａに固着され前記支柱３の左側面３ｂに平行に配される基板１３ｄと、この基板１３ｄの両側縁から支柱３に向かう方向に突出させた側板１３ｅとを具備してなるもので、前記両側板１３ｅの先端縁には、前記支柱３のオプション取付部３ｄに設けられたフック孔５１ｃに着脱可能に係り合う爪１３ｆ、１３ｇが形成されている。上側のトレーユニット１３は、清潔領域ｑに取り付けられており、例えば、使用前の医療用具や衣類或いは薬品類などが収容される。一方、下側のトレーユニット１３は、不潔領域ｒに取り付けられており、例えば、使用済みの医療用具や衣類等が投入される。
【００４０】
前記グローブボックス１５は、起立板１５ａと、起立板１５ａの下縁から略水平に延設されその先端に落下防止縁１５ｃを有する底板１５ｂと、この底板１５ｂの上方に開放隙間を介して配された線状フレーム１５ｄと、この線状フレーム１５ｄの内側に形成される収容空間を仕切るための仕切板１５ｅとを具備してなる。前記起立板１５ａと前記底板１５ｂとは、板金素材を折り曲げ加工することにより一体に作られたものである。線状フレーム１５ｄは、断面円形をなすスチール線材を略コ字形に屈曲加工することにより作られたものである。前記起立板１５ａは、爪付ブラケット１５ｆを介して前記支柱３の右側面３ｃに設けられたオプション取付部３ｄに高さ位置変更可能に取り付けられる。爪付ブラケット１５ｆは、前記起立板１５ａに固着され前記支柱３の右側面に平行に配される基板１５ｇと、この基板１５ｇの両側縁から支柱３に向かう方向に突出させた側板１５ｈとを具備してなるもので、前記両側板１５ｈの先端縁には、前記支柱３のオプション取付部３ｄに設けられたフック孔５１ｃに着脱可能に係り合う爪１５ｉ、１５ｊが形成されている。このグローブボックス１５は主に清潔領域ｑに配されるものであり、その中には、例えば、作業用の手袋を１枚ずつ取出し可能に収納した手袋収納箱を縦置き姿勢で収納することや、消毒液用ボトルを収納することができ、仕切板１５ｅを取り外すと前記手袋収納箱を横置き姿勢で収納することもできるようになっている。なお、前記手袋収納箱を縦置き姿勢で収納した場合には、前記線状フレーム１５ｄの上側から手袋を取り出すことができ、横置き姿勢で収納した場合には、前記線状フレーム１５ｄの下側から手袋を取り出すことができるように前記線状フレーム１５ｄの取付位置が設定されている。
【００４１】
前記一方のごみ受け具１７は、前記支柱３に片持状態で装着され内側に挿入したごみ袋１７ａの開口縁部１７ｂを掛けることが可能な環状の枠体１７ｃと、この枠体１７ｃに懸吊保持され前記ごみ袋１７ａの周囲を覆い得る位置に配される底のないカバー体１７ｄとを具備してなる。枠体１７ｃは、横長の起立板１７ｅと、この起立板１７ｅの両端に固着した線状フレーム１７ｆとを備えたもので、前記起立板１７ｅは、爪付ブラケット１７ｇを介して前記支柱３の右側面３ｃに設けられたオプション取付部３ｄに高さ位置変更可能に取り付けられる。爪付ブラケット１７ｇは、前記起立板１７ｅに固着され前記支柱３の右側面３ｄに平行に配される基板１７ｈと、この基板１７ｈの両側縁から支柱３に向かう方向に突出させた側板１７ｉとを具備してなるもので、前記両側板１７ｉの先端縁には、前記支柱３のオプション取付部３ｄに設けられたフック孔５１ｃに着脱可能に係り合う爪１７ｊ、１７ｋが形成されている。この枠体１７ｃは、その内側に挿入したごみ袋１７ａの開口縁部１７ｂを被せるようにして掛けることができるようになっている。一方、カバー体１７ｄは、枠体１７ｃにかけられたごみ袋１７ａの前記支柱３により隠される面以外の周囲を覆うためのもので、前記支柱３の右側面３ｃに平行に取り付けられる第１の周壁１７ｌと、この第１の周壁１７ｌの両側縁から前記支柱３に向かう方向に延出させた対をなす第２の周壁１７ｍとを備えたもので、これら両第２の周壁１７ｍの上縁には、前記枠体１７ｃの線状フレーム１７ｆに掛け止めするための掛止部１７ｎが設けられている。前記第１の周壁１７ｌと、掛止部１７ｎを有した前記第２の周壁１７ｍとは、合成樹脂により一体に成形されている。
【００４２】
他方のごみ受け具１９は、ごみ袋１９ａの開口縁部１９ｂを掛けることが可能な環状の枠体１９ｃのみからなるものである。前記枠体１９ｃは、横長の起立板１９ｄと、この起立板１９ｄの両端に固着した線状フレーム１９ｅと備えたもので、その起立板１９ｄの一端は、前記一方のごみ受け具１７の起立板１７ｅの端にくびれ部１９ｆを介して一体に接続されている。
【００４３】
これら両ごみ受け具１７、１９は、主に不潔領域ｒに取り付けられるものであり、一方のごみ受け具１７には、視覚的に刺激の強いごみ、例えば、血のついたガーセその他が投入され、他方のごみ受け具１９には、通常の可燃ごみが投入されるようにしてある。
【００４４】
さらに、前記天板７の下面には、バーコードリーダー等を置くための他のオプションである機器載置具２０が設けられている。この機器載置具２０は、起立板２０ａと、起立板２０ａの下縁から略水平に延設されその先端に落下防止縁２０ｃを有する底板２０ｂと、この底板２０ｂの上方に開放隙間を介して配された線状フレーム２０ｄとを具備してなる。起立板２０ａの上縁には取付フランジ２０ｅを設けていて、この取付フランジ２０ｅを天板７の下面にボルト等の止着具を介して取り付けている。
【００４５】
＜ナースカートの使用方法＞
このような構成のナースカートにおいて、使用者は、通常ハンドル９の使用端側水平部分９３ａを把持し、天板７の使用端７ｂから反使用端７ｃに向かう方向に押して移動させる。
【００４６】
天板７には、上述したようにパーソナルコンピュータ等の機器を載せ置いて使用する。また、ハンドル９の反使用端側水平部分９３ｃとガード部材９９との間の手掛空間９ｃに手を掛けた状態でもハンドル９を把持してこのナースカートＮを移動させることができる。
【００４７】
幅広のオプションすなわちトレーユニット１３には、医療用具や衣類或いは薬品類といった比較的大型の物品を収納する。幅狭のオプションのうち、グローブボックス１５は、上述したように主に清潔領域ｑに配し、その中に、例えば作業用の手袋を１枚ずつ取出し可能に収納した手袋収納箱や消毒液用ボトルといった小型の物品を収納する。ごみ受け具１７、１９は、不潔領域ｒに配し、枠体１７ｃ、１９ｃの内側に挿入したごみ袋の開口縁部を該枠体１７ｃ、１９ｃに支持させた状態で使用する。
【００４８】
以上に述べたように、本実施形態のナースカートＮの構成によれば、脚ベース１の左右方向中央１ａに対して右に偏心した位置に立設された支柱３を挟んで、支柱３の左側面３ｂに配したオプション取付部３ｄを介してトレーユニット１３を片持状態で取り付けるとともに、支柱３の右側面３ｃに配したオプション取付部３ｄを介してグローブボック１５ス及びごみ袋受け１７、１９を片持状態で取り付けることにより、大型の物品と小型の物品とを支柱を挟んで左右に分けて整理した状態で収納することができる。
【００４９】
また、前記支柱３が、左側面３ｂ及び右側面３ｃにオプションを高さ位置変更可能に取り付けることができるオプション取付部３ｄをそれぞれ備えているので、使用者の体格に合わせて使いやすい位置にオプションを配置する等、このようなナースカートＮの使用態様の多様化を図ることができる。
【００５０】
さらに、前記支柱３が、左側面３ｂ及び右側面３ｃに上下方向に伸びる目地３ｅをそれぞれ備え、前記各目地３ｅの底に配された目地底部材５１に複数のフック孔５１ｃを上下方向に所定のピッチで形成しているので、外観を損ねることなく上述したようなオプションを高さ位置変更可能に取り付けることができる。
【００５１】
加えて、オプション取付部３ｄを、平均的な使用者の想定膝高さｔより上の清潔領域ｑから前記想定膝高さｔより下の不潔領域ｒに亘って設けているので、使用済みのガーゼ等の患者の血液や体液等が付着したものを収納するためのトレーユニット１３やごみ袋１７ａ、１９ａを不潔領域ｒに配し、他のものを収納するためのトレーユニット１３やグローブボックス１５を清潔領域ｑに配するようにして、これらを区別して収納しておくことができる。
【００５２】
そして、前記支柱３を、前記脚ベース１の前後方向中央１ｂに対しても前記天板７の使用端７ｂ側に偏心させてあるので、このようなナースカートＮをピットＰにより深く差し入れることができる。
【００５３】
なお、本発明は以上に述べた実施形態に限らない。
【００５４】
例えば、上述した実施形態のナースカートの支柱は全体が脚ベースから直立した状態で設けられているが、必ずしも全体が脚ベースから直立したものでなくてもよく、支柱が脚ベースの左右方向中央に対して右又は左に偏心した位置に立設されており、その左右にオプションを片持状態で取り付けるためのオプション取付部を有しているものであればどのような形状のものであってもよい。
【００５５】
例えば、図１５を参照しつつ以下に示すようなナースカートＮ２の構成が考えられる。このナースカートＮ２の支柱Ａ３は、脚ベース１の左右方向中央１ａに対して左に偏心した位置に立設された左偏心部分Ａ３ｘと、この左偏心部分Ａ３ｘの上端から脚ベース１の左右方向中央１ａを越えて右側方に水平に伸びる接続部分Ａ３ｚと、この接続部分Ａ３ｚの先端から立設され脚ベース１の左右方向中央１ａに対して右に偏心しているとともに上端が支持構造体５に接続された右偏心部分Ａ３ｙとを有する。また、このナースカートＮ２の支柱Ａ３も、左右にオプション取付部Ａ３ｄを備えている。このナースカートＮ２においては、左偏心部分Ａ３ｘの右側及び右偏心部分Ａ３ｙの左側のオプション取付部Ａ３ｄにはそれぞれ幅広のオプションであるトレーユニットＡ１３を取り付ける一方、左偏心部分Ａ３ｘの左側のオプション取付部Ａ３ｄには幅狭のオプションであるゴミ受け具Ａ１７、右偏心部分Ａ３ｙの右側のオプション取付部Ａ３ｄには幅狭のオプションであるグローブボックスＡ１５をそれぞれ取り付けるようにしている。
【００５６】
また、図１６を参照しつつ以下に示すようなナースカートＮ３の構成も考えられる。このナースカートＮ３の支柱Ｂ３は、脚ベース１の左右方向中央１ｂに対して左に偏心した位置から右斜め上方に傾斜した姿勢で立設されて上端が支持構造体５に接続されており、下半部が脚ベース１の左右方向中央１ａに対して左に偏心した左偏心部分Ｂ３ｘであるとともに上半部が脚ベース１の左右方向中央１ａに対して右に偏心した右偏心部分Ｂ３ｙである。また、このナースカートＮ３の支柱Ｂ３も、左右にオプション取付部Ｂ３ｄを備えている。このナースカートＮ３においては、左偏心部分Ｂ３ｘの右側及び右偏心部分Ｂ３ｙの左側のオプション取付部Ｂ３ｄにはそれぞれ幅広のオプションであるトレーユニットＢ１３を取り付ける一方、左偏心部分Ｂ３ｘの左側のオプション取付部Ｂ３ｄには幅狭のオプションであるゴミ受け具Ｂ１７、右偏心部分Ｂ３ｙの右側のオプション取付部Ｂ３ｄには幅狭のオプションであるグローブボックスＢ１５をそれぞれ取り付けるようにしている。
【００５７】
なお、図１５及び図１６において、上述した実施形態におけるものに対応する部位には、同一の符号を付し、説明は省略する。
【００５８】
これらのナースカートＮ２、Ｎ３のような構成のものであっても、支柱Ａ３、Ｂ３を挟んで左右のオプション取付部Ｂ３ｄに幅広のオプションと幅狭のオプションとを分けて配置できるので、本発明の最も主要な効果、すなわち大型の物品と小型の物品とを支柱を挟んで左右に分けて整理した状態で収納することができるという効果を得ることができる。
【００５９】
また、上述した実施形態のナースカートのオプション取付部は、使用者の体格に合わせて使いやすい位置にオプションを配置する等、使用態様の多様化を図るべくオプションを高さ位置変更可能に取り付けることができるようにしているが、所定の高さ位置のみにオプションオプション取付部を取り付け可能なものであってももちろんよい。一方、目地を省略した支柱にオプションを高さ位置変更可能に取り付けることができるオプション取付部を設けるようにしてももちろんよい。さらに、上述した実施形態ではオプションに爪付ブラケットを備えさせ、支柱のフック孔に前記爪付ブラケットの爪を係り合わせる態様を採用しているが、他の取付態様を採用してももちろんよい。加えて、上述した実施形態では、使用済みのガーゼ等の患者の血液や体液等が付着したものを他のものと区別して収納しておくようにすべく、オプション取付部が平均的な使用者の想定膝高さより上の清潔領域から前記想定膝高さより下の不潔領域に亘って設けられているが、前記清潔領域にのみオプション取付部を設け、不潔領域側については脚ベースに直接使用済みのガーゼ等の患者の血液や体液等が付着したものを収納するためのオプションを取り付けるようにする等の態様を採用してもよい。
【００６０】
加えて、支柱の前後方向位置についても任意に設定してよい。
【００６１】
その他、本発明の趣旨を損ねない範囲で種々に変更してよい。
【符号の説明】
【００６２】
Ｎ…ナースカート
１…脚ベース
１ａ…脚ベースの左右方向中央
１ｂ…脚ベースの前後方向中央
３…支柱
３ｄ…オプション取付部
３ｅ…目地
７…天板
７ｂ…使用端
１３、１５、１７、１９…オプション
５１…目地底材
５１ｃ…フック孔
ｔ…想定膝高さ
ｑ…清潔領域
ｒ…不潔領域
【図１】
2014018384.tif 000003
【図２】
2014018384.tif 000004
【図３】
2014018384.tif 000005
【図４】
2014018384.tif 000006
【図５】
2014018384.tif 000007
【図６】
2014018384.tif 000008
【図７】
2014018384.tif 000009
【図８】
2014018384.tif 000010
【図９】
2014018384.tif 000011
【図１０】
2014018384.tif 000012
【図１１】
2014018384.tif 000013
【図１２】
2014018384.tif 000014
【図１３】
2014018384.tif 000015
【図１４】
2014018384.tif 000016
【図１５】
2014018384.tif 000017
【図１６】
2014018384.tif 000018